(57)【要約】【課題】  ソケットのラッチアームを傷つけたり過変形させることなく、しかもソケットが高実装密度のプリント配線板等に実装されていても作業性よく電子デバイスモジュールをソケットに挿入し又はソケットから抜去することを実現する。【解決手段】  ソケット２００の支持壁２２０に治具３００を被せ、治具によりラッチアーム２３０を受け入れ空間２４０から離れるように撓ませることで、治具の央部の開口部３２０を通して電子デバイスモジュール１００を受け入れ空間に挿入し又は受け入れ空間から抜去し、ソケットから治具を離間することでラッチアームを復原させる方法である。この方法の対象となるソケットと、この方法に用いる治具が特定された。【選択図】  図１
2006024479.tif 000002
【特許請求の範囲】
【請求項１】
硬質プリント配線板よりなる基板と、この基板に実装された電子部品と、電子部品に接続するように基板に設けられた導電部とを備えた電子デバイスモジュールを、表側に、立ち上がる支持壁と先端に爪を有して立ち上がる可撓性あるラッチアームとで囲んだ受け入れ空間が設けられ、電子デバイスモジュールの導電部に接触する接触子が設けられ、裏側でプリント配線板等に実装されるソケットにおける上記受け入れ空間に挿入してラッチアームで係止し又は受け入れ空間から抜去する方法であって、
ソケットの支持壁に治具を被せ、治具によりラッチアームを受け入れ空間から離れるように撓ませることで、治具の央部の開口部を通して電子デバイスモジュールを受け入れ空間に挿入し又は受け入れ空間から抜去し、ソケットから治具を離間することでラッチアームを復原させる電子デバイスモジュールのソケットに対する挿抜方法。
【請求項２】
請求項１の電子デバイスモジュールのソケットに対する挿抜方法に用いるソケットであって、
表側に受け入れ空間が設けられた略板状の基体と、
この基体の表側における受け入れ空間の周囲から立ち上がる支持壁と、
この基体の表側における受け入れ空間の周囲から立ち上がり、先端に受け入れ空間に向かって突出する爪が設けられたラッチアームと、
接触部が受け入れ空間に臨み、接続部が基体の裏面又は裏面の周辺に露出するように基体に設けられた接触子とを備え、
支持壁に治具が被さると、治具によりラッチアームが受け入れ空間から離れるように撓み、治具が離間するとラッチアームが復原するように構成した電子デバイスモジュールのソケット。
【請求項３】
ラッチアームが受け入れ空間の周囲方向に幅を有しており、爪がラッチアームの幅方向の一部にのみ設けられており、治具がラッチアームにおける爪を幅方向に避けた部位に接触するように構成した請求項２の電子デバイスモジュールのソケット。
【請求項４】
ラッチアームにおける治具が接触する部位が、ラッチアームの立ち上がり方向の先端に向かって受け入れ空間から離れるように形成されている請求項２又は請求項３の電子デバイスモジュールのソケット。
【請求項５】
請求項１の電子デバイスモジュールのソケットに対する挿抜方法に用いる治具であって、
ソケットの支持壁に載せられる略板状の本体と、この本体の央部に開口する開口部と、この本体における開口部の内縁付近から本体の裏側に突出するガイドと、この本体の外縁付近から本体の裏側に突出する外壁とを備え、
ソケットの支持壁に治具を被せると、開口部が受け入れ空間に連通し、外壁が支持壁に外側から当接し、ガイドがラッチアームに受け入れ空間の側から接触してラッチアームを受け入れ空間から離れるように撓ませ、ソケットから治具を離間するとラッチアームを復原させるように構成した電子デバイスモジュール挿抜用の治具。
【請求項６】
ガイドがラッチアームの爪に対して開口部の内縁に沿って外れた部位に設けられており、治具がラッチアームにおける爪を幅方向に避けた部位に接触するように構成した請求項５の電子デバイスモジュール挿抜用の治具。
【請求項７】
ガイドにおけるラッチアームに接触する面が、基端に向かって開口部の内縁から離れるように斜面に形成されている請求項５又は請求項６の電子デバイスモジュール挿抜用の治具。
【発明の詳細な説明】
【技術分野】
【０００１】
本発明は、硬質プリント配線板よりなる基板と、この基板に実装された電子部品と、電子部品に接続するように基板に設けられた導電部とを備えた電子デバイスモジュールをプリント配線板等に接続するために用いるソケットの技術分野に属し、電子デバイスモジュールをソケットに挿入し又はソケットから抜去する方法並びにそれに用いるソケット及び治具に関する。
【背景技術】
【０００２】
特許文献１は、複数の細長い導電体を支持するフレキシブル回路基板上に設けられた１つ以上の電子部品を含む電子デバイスモジュールと相互接続基板との間に電気的及び機械的接続を作る為の電子デバイスモジュールソケットであって、上記電子デバイスモジュールを受容するように構築及び構成された支持フレームと、上記電子デバイスモジュールに係合し、これにより上記電子デバイスモジュールを所定の位置に保持するように構築及び構成された保持体と、そして上記フレキシブル回路基板の上記複数の細長い導電体を上記相互配線基板の複数の対応する導電体へと電気的に接続するように構築及び構成された電気コネクタとを具備した電子デバイスモジュールソケットを開示している。
【特許文献１】特開２００３−１３３０２１号公報
【発明の開示】
【発明が解決しようとする課題】
【０００３】
電子デバイスモジュールとして、硬質プリント配線板よりなる基板と、この基板に実装された電子部品と、電子部品に接続するように基板に設けられた導電部とを備えたものが提案されている。このような電子デバイスモジュールは、電子部品が硬質プリント配線板基板に実装されるため、電子デバイスモジュールをソケットに装着したときに電子部品が振動等に対して強く、安定して支持されるという利点がある。反面、電子デバイスモジュールをソケットに挿入し又はソケットから抜去するときに、硬質プリント配線板によってソケットのラッチアームが傷つきやすいという問題がある。その場合、人手でラッチアームを撓ませて電子デバイスモジュールをソケットに挿入し又はソケットから抜去することも考えられるが、ラッチアームを過変形させるおそれがある。しかも、プリント配線板等の実装密度がますます高くなる傾向にあるため、作業性が悪く、現実的でない。
【０００４】
本発明は、このような点に着目してなされたもので、その目的とするところは、治具を用いて電子デバイスモジュールをソケットに挿入し又はソケットから抜去することにより、ソケットのラッチアームを傷つけたり過変形させることなく、しかもソケットが高実装密度のプリント配線板等に実装されていても作業性よく電子デバイスモジュールをソケットに挿入し又はソケットから抜去することを実現することにある。
【課題を解決するための手段】
【０００５】
上記目的を達成するため、本発明の電子デバイスモジュールのソケットに対する挿抜方法は、硬質プリント配線板よりなる基板と、この基板に実装された電子部品と、電子部品に接続するように基板に設けられた導電部とを備えた電子デバイスモジュールを、表側に、立ち上がる支持壁と先端に爪を有して立ち上がる可撓性あるラッチアームとで囲んだ受け入れ空間が設けられ、電子デバイスモジュールの導電部に接触する接触子が設けられ、裏側でプリント配線板等に実装されるソケットにおける上記受け入れ空間に挿入してラッチアームで係止し又は受け入れ空間から抜去する方法を対象とする。この電子デバイスモジュールのソケットに対する挿抜方法は、ソケットの支持壁に治具を被せ、治具によりラッチアームを受け入れ空間から離れるように撓ませることで、治具の央部の開口部を通して電子デバイスモジュールを受け入れ空間に挿入し又は受け入れ空間から抜去し、ソケットから治具を離間することでラッチアームを復原させる方法である。
【０００６】
人手ではなく治具を用いてラッチアームを撓ませておき、電子デバイスモジュールをソケットに挿入し又はソケットから抜去するので、ソケットのラッチアームを傷つけたり過変形させることなく電子デバイスモジュールのソケットに対する挿入抜去が行え、しかもソケットが高実装密度のプリント配線板等に実装されていても作業性よく電子デバイスモジュールのソケットに対する挿入抜去が行われる。
【０００７】
本発明の電子デバイスモジュールのソケットに対する挿抜方法に用いるソケットは、表側に受け入れ空間が設けられた略板状の基体と、この基体の表側における受け入れ空間の周囲から立ち上がる支持壁と、この基体の表側における受け入れ空間の周囲から立ち上がり、先端に受け入れ空間に向かって突出する爪が設けられたラッチアームと、接触部が受け入れ空間に臨み、接続部が基体の裏面又は裏面の周辺に露出するように基体に設けられた接触子とを備え、支持壁に治具が被さると、治具によりラッチアームが受け入れ空間から離れるように撓み、治具が離間するとラッチアームが復原するように構成している。
【０００８】
このソケットを裏側でプリント配線板等に実装し、ソケットの支持壁に治具を被せると、治具によりラッチアームが受け入れ空間から離れるように撓む。そうしておいて、治具の央部の開口部を通して電子デバイスモジュールを受け入れ空間に挿入し、ソケットから治具を離間するとラッチアームが復原し、ラッチアームの爪が電子デバイスモジュールに係止する。また、ソケットの支持壁に治具を被せると、治具によりラッチアームが受け入れ空間から離れるように撓む。そうしておいて、治具の央部の開口部を通して電子デバイスモジュールを受け入れ空間から抜去し、ソケットから治具を離間するとラッチアームが復原する。
【０００９】
本発明のソケットは、次のようにしてもよい。その提案のソケットは、ラッチアームが受け入れ空間の周囲方向に幅を有しており、爪がラッチアームの幅方向の一部にのみ設けられており、治具がラッチアームにおける爪を幅方向に避けた部位に接触するように構成した。
【００１０】
このようにすれば、治具が、爪に接触するようにしたときに較べると、受け入れ空間から離れた位置でラッチアームに接触するので、治具の開口部が大きくとれ、治具が、電子デバイスモジュールの受け入れ空間に対する挿入、抜去の邪魔になりにくい。
【００１１】
本発明のソケットは、次のようにしてもよい。その提案のソケットは、ラッチアームにおける治具が接触する部位が、ラッチアームの立ち上がり方向の先端に向かって受け入れ空間から離れるように形成されている。
【００１２】
このようにすれば、治具をソケットに押しつけていくと、治具がラッチアームのこの部位によって呼び込まれ、ラッチアームの受け入れ空間の側の面にスムーズに接触してゆく。
【００１３】
本発明の電子デバイスモジュールのソケットに対する挿抜方法に用いる治具は、ソケットの支持壁に載せられる略板状の本体と、この本体の央部に開口する開口部と、この本体における開口部の内縁付近から本体の裏側に突出するガイドと、この本体の外縁付近から本体の裏側に突出する外壁とを備え、ソケットの支持壁に治具を被せると、開口部が受け入れ空間に連通し、外壁が支持壁に外側から当接し、ガイドがラッチアームに受け入れ空間の側から接触してラッチアームを受け入れ空間から離れるように撓ませ、ソケットから治具を離間するとラッチアームを復原させるように構成している。
【００１４】
この治具をソケットの支持壁に被せると、本体がソケットの支持壁に載り、開口部が受け入れ空間に連通し、外壁が支持壁に外側から当接し、ガイドがラッチアームに受け入れ空間の側から接触してラッチアームを受け入れ空間から離れるように撓ませる。そうしておいて、治具の央部の開口部を通して電子デバイスモジュールを受け入れ空間に挿入し、ソケットから治具を離間するとラッチアームが復原し、ラッチアームの爪が電子デバイスモジュールに係止する。また、治具をソケットの支持壁に被せると、本体がソケットの支持壁に載り、開口部が受け入れ空間に連通し、外壁が支持壁に外側から当接し、ガイドがラッチアームに受け入れ空間の側から接触してラッチアームを受け入れ空間から離れるように撓ませる。そうしておいて、治具の央部の開口部を通して電子デバイスモジュールを受け入れ空間から抜去し、ソケットから治具を離間するとラッチアームが復原する。
【００１５】
本発明の治具は、次のようにしてもよい。その提案の治具は、ガイドがラッチアームの爪に対して開口部の内縁に沿って外れた部位に設けられており、治具がラッチアームにおける爪を幅方向に避けた部位に接触するように構成している。
【００１６】
このようにすれば、ガイドが、爪に接触するようにしたときに較べると、受け入れ空間から離れた位置でラッチアームに接触するので、治具の開口部が大きくとれ、治具が、電子デバイスモジュールの受け入れ空間に対する挿入、抜去の邪魔になりにくい。
【００１７】
本発明の治具は、次のようにしてもよい。その提案の治具は、ガイドにおけるラッチアームに接触する面が、基端に向かって開口部の内縁から離れるように斜面に形成されている。
【００１８】
このようにすれば、治具をソケットに押しつけていくと、ガイドのこの斜面になった面に倣ってラッチアームがスムーズに撓む。
【発明の効果】
【００１９】
本発明の電子デバイスモジュールのソケットに対する挿抜方法を用いると、ソケットのラッチアームを傷つけたり過変形させることなく電子デバイスモジュールのソケットに対する挿入抜去を行え、しかもソケットが高実装密度のプリント配線板等に実装されていても作業性よく電子デバイスモジュールのソケットに対する挿入抜去を行うことができる。
【００２０】
本発明のソケットは、本発明の電子デバイスモジュールのソケットに対する挿抜方法に用いるソケットとして好適である。
【００２１】
本発明のソケットは、爪をラッチアームの幅方向の一部にのみ設け、治具がラッチアームにおける爪を幅方向に避けた部位に接触するように構成すれば、治具が、受け入れ空間から離れた位置でラッチアームに接触するので、治具が、電子デバイスモジュールの受け入れ空間に対する挿入、抜去の邪魔になりにくい。
【００２２】
本発明のソケットは、ラッチアームにおける治具が接触する部位を、ラッチアームの立ち上がり方向の先端に向かって受け入れ空間から離れるように形成すれば、治具をラッチアームの受け入れ空間の側の面にスムーズに接触させることができる。
【００２３】
本発明の治具は、本発明の電子デバイスモジュールのソケットに対する挿抜方法に用いる治具として好適である。
【００２４】
本発明の治具は、ガイドをラッチアームの爪に対して開口部の内縁に沿って外れた部位に設け、治具がラッチアームにおける爪を幅方向に避けた部位に接触するように構成すれば、ガイドが、受け入れ空間から離れた位置でラッチアームに接触するので、治具が、電子デバイスモジュールの受け入れ空間に対する挿入、抜去の邪魔になりにくい。
【００２５】
本発明の治具は、ガイドにおけるラッチアームに接触する面を、基端に向かって開口部の内縁から離れるように斜面に形成すれば、ガイドのこの斜面になった面に倣ってラッチアームをスムーズに撓ませることができる。
【発明を実施するための最良の形態】
【００２６】
以下、本発明の電子デバイスモジュールのソケットに対する挿抜方法並びにそれに用いるソケット及び治具の実施の形態を説明する。図１は実施形態の挿抜方法に用いる電子デバイスモジュール１００、ソケット２００及び治具３００を示す。
【００２７】
電子デバイスモジュール１００は、硬質プリント配線板よりなる基板１１０と、この基板１１０に実装された電子部品１２０と、電子部品１２０に接続するように基板１１０に設けられた導電部１３０とを備えている。導電部１３０は、例えば基板１１０の裏面又は側面などに設けられる。
【００２８】
硬質プリント配線板は、フレキシブルプリント配線板のように柔軟性に富むプリント配線板ではなく、剛性を備えたプリント配線板を意味する。基板１１０の材質は問わないが、この基板１１０には樹脂製のプリント配線板や、それよりも硬度の高いセラミック製のプリント配線板が含まれる。電子部品は、例えば電荷結合素子（ＣＣＤ）センサや相補型金属酸化物半導体（ＣＭＯＳ）センサなどである。
【００２９】
ソケット２００の表側には、支持壁２２０と、可撓性あるラッチアーム２３０とが立ち上がっている。ラッチアーム２３０の先端には爪２３１が設けられている。この爪２３１は電子デバイスモジュール１００の表面１４０にかかる。ソケット２００の表側には、この支持壁２２０及びラッチアーム２３０により囲まれた受け入れ空間２４０が設けられている。ソケット２００には、電子デバイスモジュール１００の導電部１３０に接触する接触子が設けられ、裏側でプリント配線板等（図示省略）に実装される。
【００３０】
本発明の電子デバイスモジュール１００のソケット２００に対する挿抜方法は、電子デバイスモジュール１００をソケット２００における上記受け入れ空間２４０に挿入してラッチアーム２３０で係止し又は受け入れ空間２４０から抜去する方法である。この挿抜方法は、ソケット２００の支持壁２２０に治具３００を被せ、治具３００によりラッチアーム２３０を受け入れ空間２４０から離れるように撓ませることで、治具３００の央部の開口部３２０を通して電子デバイスモジュール１００を受け入れ空間２４０に挿入し又は受け入れ空間２４０から抜去し、ソケット２００から治具３００を離間することでラッチアーム２３０を復原させる電子デバイスモジュール１００のソケット２００に対する挿抜方法である。図２は、電子デバイスモジュール１００を受け入れ空間２４０に挿入した状態を示し、図１のソケット２００は、電子デバイスモジュール１００を受け入れ空間２４０から抜去した状態を示す。
【００３１】
上記ソケット２００及び上記治具３００について、さらに詳しく説明する。図３ないし図５に示すように、上記ソケット２００は、表側に受け入れ空間２４０が設けられた略板状の基体２１０を備えている。支持壁２２０は、この基体２１０の表側における受け入れ空間２４０の周囲から立ち上がっている。ラッチアーム２３０は、この基体２１０の表側における受け入れ空間２４０の周囲から立ち上がっており、先端に受け入れ空間２４０に向かって突出する爪２３１が設けられている。支持壁及びラッチアームは、基体の表側における受け入れ空間の周囲から立ち上がっておればよく、ラッチアームが支持壁２２０を兼ねていてもよい。支持壁及びラッチアームは、電子デバイスモジュールが受け入れ空間から側方へ移動しないように配置されている。また、電子デバイスモジュールの基板の形状によって受け入れ空間の形状が変わってくるので、支持壁及びラッチアームの配置、形状には種々の形態がある。さらに、基体、支持壁、ラッチアームの材質は同一であってもよいし異なっていてもよい。この実施形態では、電子デバイスモジュール１００の基板１１０がほぼ矩形状に設けられているので、ソケット２００の基体２１０は、ほぼ電子デバイスモジュール１００の基板１１０に対応する矩形状に設けられ、その基体２１０の４辺から支持壁２２０が立ち上がっている。また、基体２１０の４辺のうち相対向する２片からラッチアーム２３０が立ち上がっている。図４に示すように、支持壁２２０の受け入れ空間の周囲方向を幅方向とすると、対向する一対の支持壁２２０における幅方向の中間には支持壁２２０の立ち上がり高さが低い部分が形成され、その部分からラッチアーム２３０の先端側がほぼ半分ほど露出して立ち上がっている。基体２１０及び支持壁２２０は例えば樹脂等の絶縁材料で形成されているが、ラッチアーム２３０は例えば金属等で形成されている。ラッチアーム２３０は基体２１０及び支持壁２２０に埋め込まれた金属板等の一部で形成され、この金属板等の一部は基体２１０の裏面又は裏面の周辺に露出して補強タブ２６０になっており、この補強タブ２６０は必要に応じてプリント配線板等にハンダ付け等により接続される。上記ソケット２００は導電性部材よりなる接触子２５０を備えている。この接触子２５０は、電子デバイスモジュール１００の導電部１３０に接触する接触部２５１と、プリント配線板等にハンダ付け等で接続される接続部２５２とを備えている。接触子２５０は、接触部２５１が受け入れ空間２４０に臨み、接続部２５２が基体２１０の裏面又は裏面の周辺に露出するように基体２１０に設けられている。図５はその一つの態様を例示している。上記ソケット２００は、支持壁２２０に治具３００が被さると、治具３００によりラッチアーム２３０が受け入れ空間２４０から離れるように撓み、治具３００が離間するとラッチアーム２３０が復原するように構成している。
【００３２】
上記ラッチアーム２３０は、受け入れ空間２４０の周囲方向に幅を有しており、爪２３１がラッチアーム２３０の幅方向の一部にのみ設けられており、治具３００がラッチアーム２３０における爪２３１を幅方向に避けた部位に接触するように構成している。爪をラッチアームの幅方向のどの部位に設けるかは任意であるが、この実施形態では爪２３１がラッチアーム２３０の幅方向の両端に設けられている。
【００３３】
上記ラッチアーム２３０における治具３００が接触する部位２３２が、ラッチアーム２３０の立ち上がり方向の先端に向かって受け入れ空間２４０から離れるように形成されている。
【００３４】
図６ないし図８に示すように、上記治具３００は、ソケット２００の支持壁２２０に載せられる略板状の本体３１０を備えている。この本体３１０の央部には開口部３２０が開口している。この開口部は、実施形態に示すように周縁が閉じていてもよいし、一部が本体の端縁まで連通していてもよい。この本体３１０には、開口部３２０の内縁から本体３１０の裏側に突出するガイド３３０が設けられている。ガイドは内縁付近から突出しておればよい。この本体３１０には、この本体３１０の外縁から本体３１０の裏側に突出する外壁３４０が設けられている。外壁は外縁付近から突出しておればよい。外壁３４０は、治具３００が側方へ移動しないように配置されている。また、電子デバイスモジュールの基板の形状によって受け入れ空間の形状が変わってくるので、ガイド及び外壁の配置、形状には種々の形態がある。さらに、本体、ガイド、外壁の材質は同一であってもよいし異なっていてもよい。この実施形態では、ソケット２００が電子デバイスモジュール１００を挿入、抜去する方向からみてほぼ矩形状に設けられているので、本体３１０は、これに対応してほぼ矩形状に設けられ、その本体３１０の４辺から外壁３４０が裏側へ立ち上がっている。この実施形態では、外壁３４０の先端を内側に折り返し、この折り返し部が支持壁２２０に接触したときに弾性を発揮し、これによって治具３００がソケット２００に被さったときの結合力を確保するようにしているが、このような折り返し部は設けなくてもよい。また、本体３１０の４辺のうち相対向する２片の側からガイド３３０が裏側へ立ち上がっている。上記治具３００は、ソケット２００の支持壁２２０に治具３００を被せると、開口部３２０が受け入れ空間２４０に連通し、外壁３４０が支持壁２２０に外側から当接し、ガイド３３０がラッチアーム２３０に受け入れ空間２４０の側から接触してラッチアーム２３０を受け入れ空間２４０から離れるように撓ませ、ソケット２００から治具３００を離間するとラッチアーム２３０を復原させるように構成している。
【００３５】
上記ガイド３３０は、ラッチアーム２３０の爪２３１に対して開口部３２０の内縁に沿って外れた部位に設けられており、治具３００がラッチアーム２３０における爪２３１を幅方向に避けた部位に接触するように構成している。
【００３６】
上記ガイド３３０におけるラッチアーム２３０に接触する面は、基端に向かって開口部３２０の内縁から離れるように斜面に形成されている。
【００３７】
従って、上記実施形態の電子デバイスモジュールのソケットに対する挿抜方法においては、人手ではなく治具３００を用いてラッチアーム２３０を撓ませておき、電子デバイスモジュール１００をソケット２００に挿入し又はソケット２００から抜去する。その場合、電子デバイスモジュール１００が、その挿入抜去時にラッチアーム２３０に接触しないか、接触したとしても僅かであるので、ソケット２００のラッチアーム２３０を傷つけたり過変形させることなく電子デバイスモジュール１００のソケット２００に対する挿入抜去が行える。特に、基板１１０が例えばセラミック製のプリント配線板のように硬度の高いものであるときは、ラッチアーム２３０の損傷を効果的に防止することができる。しかも、人手ではなく治具３００でラッチアーム２３０を撓ませるので、ソケット２００が高実装密度のプリント配線板等に実装されていても作業性よく電子デバイスモジュール１００のソケット２００に対する挿入抜去を行うことができる。
【００３８】
上記実施形態のソケット２００を裏側でプリント配線板等に実装し、ソケット２００の支持壁２２０に治具３００を被せると、治具３００によりラッチアーム２３０が受け入れ空間２４０から離れるように撓む。そうしておいて、治具３００の央部の開口部３２０を通して電子デバイスモジュール１００を受け入れ空間２４０に挿入し、ソケット２００から治具３００を離間するとラッチアーム２３０が復原し、ラッチアーム２３０の爪２３１が電子デバイスモジュール１００に係止する（図９ないし図１２を参照）。また、ソケット２００の支持壁２２０に治具３００を被せると、治具３００によりラッチアーム２３０が受け入れ空間２４０から離れるように撓む。そうしておいて、治具３００の央部の開口部３２０を通して電子デバイスモジュール１００を受け入れ空間２４０から抜去し、ソケット２００から治具３００を離間するとラッチアーム２３０が復原する（図１３ないし図１６を参照）。このソケット２００は、本発明の電子デバイスモジュールのソケットに対する挿抜方法に用いるソケットとして好適である。
【００３９】
本発明のソケットは、ラッチアームの受け入れ空間周囲方向の幅を限定するものではなく、幅方向における爪の配置を限定するものでもない。そのなかで上記実施形態のソケット２００は、ラッチアーム２３０が受け入れ空間２４０の周囲方向に幅を有しており、爪２３１がラッチアーム２３０の幅方向の一部にのみ設けられており、治具３００がラッチアーム２３０における爪２３１を幅方向に避けた部位に接触するように構成した。このようにすれば、治具３００が爪２３１に接触するようにしたときに較べると、治具３００が受け入れ空間２４０から離れた位置でラッチアーム２３０に接触するので、治具３００の開口部３２０が大きくとれ、治具３００が、電子デバイスモジュール１００の受け入れ空間２４０に対する挿入、抜去の邪魔になりにくい。
【００４０】
本発明のソケットは、ラッチアームの形状を限定するものではなく、ラッチアームが立ち上がり方向の先端に向かって真っ直ぐである実施形態を含む。これに対して上記実施形態のソケット２００は、ラッチアーム２３０における治具３００が接触する部位２３２が、ラッチアーム２３０の立ち上がり方向の先端に向かって受け入れ空間２４０から離れるように形成されている。このようにすれば、治具３００をソケット２００に押しつけていくと、治具３００がラッチアーム２３０のこの部位２３２によって呼び込まれ、ラッチアーム２３０の受け入れ空間２４０の側の面にスムーズに接触してゆく。
【００４１】
上記実施形態の治具３００をソケット２００の支持壁２２０に被せると、本体３１０がソケット２００の支持壁２２０に載り、開口部３２０が受け入れ空間２４０に連通し、外壁３４０が支持壁２２０に外側から当接し、ガイド３３０がラッチアーム２３０に受け入れ空間２４０の側から接触してラッチアーム２３０を受け入れ空間２４０から離れるように撓ませる。そうしておいて、治具３００の央部の開口部３２０を通して電子デバイスモジュール１００を受け入れ空間２４０に挿入し、ソケット２００から治具３００を離間するとラッチアーム２３０が復原し、ラッチアーム２３０の爪２３１が電子デバイスモジュール１００に係止する（図９ないし図１２を参照）。また、治具３００をソケット２００の支持壁２２０に被せると、本体３１０がソケット２００の支持壁２２０に載り、開口部３２０が受け入れ空間２４０に連通し、外壁３４０が支持壁２２０に外側から当接し、ガイド３３０がラッチアーム２３０に受け入れ空間２４０の側から接触してラッチアーム２３０を受け入れ空間２４０から離れるように撓ませる。そうしておいて、治具３００の央部の開口部３２０を通して電子デバイスモジュール１００を受け入れ空間２４０から抜去し、ソケット２００から治具３００を離間するとラッチアーム２３０が復原する（図１３ないし図１６を参照）。この治具３００は、本発明の電子デバイスモジュールのソケットに対する挿抜方法に用いる治具として好適である。
【００４２】
本発明の治具は、ラッチアームの受け入れ空間周囲方向の幅を限定するものではなく、幅方向における爪の配置を限定するものでもない。そのなかで上記実施形態の治具３００は、ガイド３３０がラッチアーム２３０の爪２３１に対して開口部３２０の内縁に沿って外れた部位に設けられており、治具３００がラッチアーム２３０における爪２３１を幅方向に避けた部位に接触するように構成している。このようにすれば、ガイド３３０が爪２３１に接触するようにしたときに較べると、ガイド３３０が受け入れ空間２４０から離れた位置でラッチアーム２３０に接触するので、治具３００の開口部３２０が大きくとれ、治具３００が、電子デバイスモジュール１００の受け入れ空間２４０に対する挿入、抜去の邪魔になりにくい。
【００４３】
本発明の治具は、ガイドの形状を限定するものではなく、ガイドにおけるラッチアームに接触する面が、挿入抜去する方向に沿って真っ直ぐである実施形態を含む。そのなかで上記実施形態の治具３００は、ガイド３３０におけるラッチアーム２３０に接触する面が、基端に向かって開口部３２０の内縁から離れるように斜面に形成されている。このようにすれば、治具３００をソケット２００に押しつけていくと、ガイド３３０のこの斜面になった面に倣ってラッチアーム２３０がスムーズに撓ませることができる。
【００４４】
本発明は、以上の実施形態の特徴を適宜組み合わせてなる実施形態を含むものである。また、本発明は上記実施形態によって限定解釈されるものではない。
【図面の簡単な説明】
【００４５】
【図１】実施形態の挿抜方法に用いる電子デバイスモジュール、ソケット及び治具を示す斜視図である。
【図２】実施形態のソケットに電子デバイスモジュールを挿入して示す斜視図である。
【図３】実施形態のソケットを表からみた平面図である。電子デバイスモジュールが挿入、抜去される方向からみている。
【図４】実施形態のソケットの側面図である。ラッチアームに面した方向からみている。破線で示したのは、ラッチアーム、補強タブを形成する金属板等のうち支持壁に埋め込まれた部分である。
【図５】図３におけるＶ−Ｖ線断面図である。
【図６】治具を裏からみた底面図である。
【図７】図６におけるＶＩＩ−ＶＩＩ線断面図である。
【図８】図６におけるＶＩＩＩ−ＶＩＩＩ線断面図である。
【図９】ソケットに電子デバイスモジュールを挿入する方法を示す断面図である。ソケットに治具を被せようとしている。
【図１０】ソケットに電子デバイスモジュールを挿入する方法を示す断面図である。ラッチアームの爪をみせるため、電子デバイスモジュールの上部構造物は図示を省略している。ソケットに治具を被せてラッチアームを撓ませ、治具の開口部を通して電子デバイスモジュールをソケットの受け入れ空間に挿入しようとしている。
【図１１】ソケットに電子デバイスモジュールを挿入する方法を示す断面図である。ラッチアームの爪をみせるため、電子デバイスモジュールの上部構造物は図示を省略している。電子デバイスモジュールをソケットの受け入れ空間に挿入し終わっている。
【図１２】ソケットに電子デバイスモジュールを挿入する方法を示す断面図である。ラッチアームの爪をみせるため、電子デバイスモジュールの上部構造物は図示を省略している。ソケットから治具を離間し終わっている。
【図１３】ソケットから電子デバイスモジュールを抜去する方法を示す断面図である。ラッチアームの爪をみせるため、電子デバイスモジュールの上部構造物は図示を省略している。ソケットに治具を被せようとしている。
【図１４】ソケットから電子デバイスモジュールを抜去する方法を示す断面図である。ソケットに治具を被せている。
【図１５】ソケットから電子デバイスモジュールを抜去する方法を示す断面図である。ラッチアームの爪をみせるため、電子デバイスモジュールの上部構造物は図示を省略している。治具をソケットに押しつけてラッチアームを撓ませて、治具の開口部を通して電子デバイスモジュールをソケットの受け入れ空間から抜去しようとしている。
【図１６】ソケットから電子デバイスモジュールを抜去する方法を示す断面図である。ラッチアームの爪をみせるため、電子デバイスモジュールの上部構造物は図示を省略している。電子デバイスモジュールをソケットの受け入れ空間から抜去し終わっている。
【符号の説明】
【００４６】
１００  電子デバイスモジュール
１１０  基板
１２０  電子部品
１３０  導電部
１４０  表面
２００  ソケット
２１０  基体
２２０  支持壁
２３０  ラッチアーム
２３１  爪
２３２  治具が接触する部位
２４０  受け入れ空間
２５０  接触子
２５１  接触部
２５２  接続部
３００  治具
３１０  本体
３２０  開口部
３３０  ガイド
３４０  外壁
【図１】
2006024479.tif 000003
【図２】
2006024479.tif 000004
【図３】
2006024479.tif 000005
【図４】
2006024479.tif 000006
【図５】
2006024479.tif 000007
【図６】
2006024479.tif 000008
【図７】
2006024479.tif 000009
【図８】
2006024479.tif 000010
【図９】
2006024479.tif 000011
【図１０】
2006024479.tif 000012
【図１１】
2006024479.tif 000013
【図１２】
2006024479.tif 000014
【図１３】
2006024479.tif 000015
【図１４】
2006024479.tif 000016
【図１５】
2006024479.tif 000017
【図１６】
2006024479.tif 000018